(57)【要約】【課題】ビードリングの清掃の労力を低減できるタイヤ加硫金型を提供する。【解決手段】タイヤのビード部６を加硫成形するビード成形面１０ｓを有するビードリング１０を含むタイヤ加硫金型である。ビードリング１０は、ビード成形面１０ｓに円周方向に合わせ目１３が現れるように嵌め合わされた内側リング片１１及び外側リング片１２を含む。合わせ目１３は、内側リング片１１が外側リング片１２と接触する複数の接触部１４と、内側リング片１１が外側リング片１２から離間したエア抜き用の複数の離間部１５とを含む。各離間部１５は、円周方向の長さが半径方向の幅よりも大きいスリット状である。【選択図】図２
2019051676.tif 000002
【特許請求の範囲】
【請求項１】
タイヤのビード部を加硫成形するビード成形面を有するビードリングを含むタイヤ加硫金型であって、
前記ビードリングは、前記ビード成形面に円周方向に合わせ目が現れるように嵌め合わされた内側リング片及び外側リング片を含み、
前記合わせ目は、前記内側リング片が前記外側リング片と接触する複数の接触部と、前記内側リング片が前記外側リング片から離間したエア抜き用の複数の離間部とを含み、
前記各離間部は、円周方向の長さが半径方向の幅よりも大きいスリット状である、
タイヤ加硫金型。
【請求項２】
前記各離間部の円周方向の長さは、前記各接触部の円周方向の長さよりも大きい、請求項１記載のタイヤ加硫金型。
【請求項３】
前記離間部の円周方向の長さは、前記合わせ目の円周長さの５％以上である、請求項１乃至２のいずれかに記載のタイヤ加硫金型。
【請求項４】
前記接触部は、４〜８つ設けられている、請求項１乃至３のいずれかに記載のタイヤ加硫金型。
【請求項５】
前記離間部の前記幅が０．１mm未満である、請求項１乃至４のいずれかに記載のタイヤ加硫金型。
【発明の詳細な説明】
【技術分野】
【０００１】
本発明は、タイヤを加硫するための金型に関する。
【背景技術】
【０００２】
例えば、下記特許文献１には、タイヤのビード部のビードヒール面における加硫不良を減じるために、ビードリングの構造を改善したタイヤの加硫金型が提案されている。上記ビードリングは、２以上のリング片から形成され、一方側のリング片の分割面上に、スリット形成溝を具えている。スリット形成溝は、一方側のリング片の分割面と他方側のリング片の分割面との間で隙間が０．０２〜０．０８ｍｍの排気スリットとして形成されている。上記排気スリットは、タイヤの加硫成形に際して、ビード部とビードリングのヒール成形面との間に残存する空気を排出するのに役立つ。
【先行技術文献】
【特許文献】
【０００３】
【特許文献１】特開２０１２−１６１９３９号公報
【０００４】
しかしながら、上記排気スリットには、加硫工程中にゴム部材から発生するガスや油分等が混入して固着する傾向があった。このため、上記ビードリングは、清掃時、排気スリットから固着したガスや油分を除去するのに大きな労力を費やしていた。
【発明の概要】
【発明が解決しようとする課題】
【０００５】
本発明は、以上のような実状に鑑み案出されたもので、ビードリングの清掃の労力を低減できるタイヤ加硫金型を提供することを主たる目的としている。
【課題を解決するための手段】
【０００６】
本発明は、タイヤのビード部を加硫成形するビード成形面を有するビードリングを含むタイヤ加硫金型であって、前記ビードリングは、前記ビード成形面に円周方向に合わせ目が現れるように嵌め合わされた内側リング片及び外側リング片を含み、前記合わせ目は、前記内側リング片が前記外側リング片と接触する複数の接触部と、前記内側リング片が前記外側リング片から離間したエア抜き用の複数の離間部とを含み、前記各離間部は、円周方向の長さが半径方向の幅よりも大きいスリット状である。
【０００７】
本発明のタイヤ加硫金型において、前記各離間部の円周方向の長さは、前記各接触部の円周方向の長さよりも大きいのが望ましい。
【０００８】
本発明のタイヤ加硫金型において、前記離間部の円周方向の長さは、前記合わせ目の円周長さの５％以上であるのが望ましい。
【０００９】
本発明のタイヤ加硫金型において、前記接触部は、４〜８つ設けられているのが望ましい。
【００１０】
本発明のタイヤ加硫金型において、前記離間部の前記幅が０．１mm未満であるのが望ましい。
【発明の効果】
【００１１】
本発明のタイヤ加硫金型のビードリングは、ビード成形面に円周方向に合わせ目が現れるように嵌め合わされた内側リング片及び外側リング片を含んでいる。合わせ目は、内側リング片が外側リング片と接触する複数の接触部と、内側リング片が外側リング片から離間したエア抜き用の複数の離間部とを含んでいる。各離間部は、円周方向の長さが半径方向の幅よりも大きいスリット状である。このような各離間部は、ゴム部材から発生するガスや油分等が固着しても、ビードリング清掃時に容易にこれらを除去することができるため、ビードリングの清掃の労力を低減することができる。
【図面の簡単な説明】
【００１２】
【図１】本発明の一実施形態のタイヤ加硫金型の断面図である。
【図２】ビードリングの斜視図である。
【図３】ビードリングの側面図である。
【図４】内側リング片と外側リング片との合わせ目の部分拡大図である。
【図５】比較例にタイヤ加硫金型の合わせ目の部分拡大図である。
【発明を実施するための形態】
【００１３】
以下、本発明の実施の一形態が、図面に基づき説明される。
図１には、本実施形態のタイヤ加硫金型１の断面図が示されている。図１に示されるように、本実施形態のタイヤ加硫金型１は、その内側に、未加硫の生タイヤ２の外面２ｓを成形する成形面を具えている。生タイヤ２は、タイヤ加硫金型１内で加熱されるとともに、内側から、膨張したブラダー３によってタイヤ加硫金型１の成形面側に押圧される。これにより、生タイヤ２が加硫成形され、空気入りタイヤが得られる。
【００１４】
生タイヤ２は、トレッド部４と、その両端からタイヤ半径方向内方にのびるサイドウォール部５と、そのタイヤ半径方向内側に配されたビード部６とを具えている。生タイヤ２は、例えば、トロイド状のカーカスや、カーカスの外側に配されたベルト層等、公知の構成を具えることができる。
【００１５】
本実施形態のタイヤ加硫金型１は、トレッドセグメント７、サイドウォールセグメント８及びビードリング１０を含んでいる。
【００１６】
トレッドセグメント７は、トレッド部４の外面を加硫成形する。サイドウォールセグメント８は、サイドウォール部５の外面を加硫成形する。トレッドセグメント７及びサイドウォールセグメント８は、空気入りタイヤを成形する一般的な金型の構成を具えており、ここでの詳細な説明は省略される。
【００１７】
ビードリング１０は、ビード部６を加硫成形するビード成形面１０ｓを有している。本実施形態のビード成形面１０ｓは、例えば、ビード部６のビードヒール面を含んで成形する。
【００１８】
図２には、ビードリング１０の斜視図が示されている。図３には、ビードリング１０をビード成形面１０ｓ側からタイヤ軸方向に見た側面図が示されている。図２及び図３に示されるように、ビードリング１０は、内側リング片１１及び外側リング片１２を含んでいる。外側リング片１２は、内側リング片１１のタイヤ半径方向外側に脱着自在に嵌合されている。内側リング片１１及び外側リング片１２は、円環状にのびている。内側リング片１１と外側リング片１２とは、ビード成形面１０ｓに円周方向に合わせ目１３が現れるように嵌合されている。
【００１９】
図４には、内側リング片１１と外側リング片１２との合わせ目１３の部分拡大図が示されている。図４に示されるように、合わせ目１３は、内側リング片１１が外側リング片１２と接触する複数の接触部１４と、内側リング片１１が外側リング片１２から離間したエア抜き用の複数の離間部１５とを含む。接触部１４と離間部１５とは、円周方向に交互に設けられている。加硫成形時、ビード成形面１０ｓとビード部６の外面との間の空気は、離間部１５及びこれに接続された空気排出路（図示省略）を通って、金型外部へ排出される。なお、理解し易いように、図３及び図４において、離間部１５は着色されている。
【００２０】
各離間部１５は、円周方向の長さＬ１が半径方向の幅ｄ１よりも大きいスリット状である。各離間部１５は、ゴム部材から発生するガスや油分等が固着しても、ビードリング清掃時に容易にこれらを除去することができるため、ビードリング１０の清掃の労力を低減することができる。特に、内側リング片１１と外側リング片１２とを分解したときには、離間部１５が円周方向に大きく露出するので、さらにビードリング１０の清掃が容易になる。また、離間部１５は、円周方向の幅が小さくかつ円周方向に多数設けられた従来のものと比較して、上記ガスや油分による汚れが詰まりにくく、長期に亘って高いエア抜き性能を発揮することができる、また、本発明の離間部１５を有するビードリング１０は、従来のものと比較して、離間部１５の加工に要するコストを抑制することができる。
【００２１】
本実施形態の離間部１５は、例えば、一定の幅でビードリング１０の円周方向に沿って延びている。このため、本実施形態の離間部１５は、円周方向に沿って滑らかに湾曲した円弧状である。但し、離間部１５は、このような態様に限定されるものではない。
【００２２】
図３に示されるように、離間部１５の円周方向の長さＬ１は、例えば、合わせ目の円周長さの少なくとも５％以上であるのが望ましい。このような離間部１５は、十分に長い円周方向の長さを有するので、ガスや油分が固着しても詰まり難く、長期に亘ってエア抜き効果を発揮し、ビードリング１０の清掃の頻度を低減させることができる。
【００２３】
離間部１５の上記長さＬ１が過度の大きい場合、内側リング片１１と外側リング片１２とが位置ずれし、成形されるタイヤのユニフォミティが悪化するおそれがある。内側リング片１１と外側リング片１２との位置ずれを抑制しつつ、上述の効果を得るために、離間部１５の円周方向の長さＬ１は、好ましくは合わせ目１３の円周長さの１０％以上、より好ましくは１５％以上であり、好ましくは３０％以下、より好ましくは２５％以下である。
【００２４】
同様の観点から、各離間部１５の円周方向の長さＬ１は、各接触部１４の円周方向の長さＬ２よりも大きいのが望ましい。また、各離間部１５の上記Ｌ１は、互いに等しいのが望ましい。これにより、エア抜き効果が円周方向に亘って均等に得られ、ひいては成形されるタイヤのユニフォミティが向上し得る。
【００２５】
図４に示されるように、離間部１５の幅ｄ１は、例えば、０．１mm未満であるのが望ましい。このような離間部１５は、ビード部６の外面にバリが発生するのを抑制しつつ、エア抜き効果を発揮することができる。
【００２６】
より具体的には、離間部１５の幅ｄ１は、より好ましくは０．０８mm以下、より好ましくは０．０６mm以下であり、好ましくは０．０２mm以上、より好ましくは０．０４mm以上である。このような離間部１５は、上記バリの発生を抑制しつつ、高いエア抜き効果を発揮することができる。
【００２７】
図３に示されるように、本実施形態の接触部１４は、内側リング片１１に設けられたタイヤ半径方向外側に突出する突部１６が外側リング片１２に接触して構成されている。他の態様では、例えば、外側リング片１２に設けられたタイヤ半径方向内側に突出する突部が、内側リング片１１に接触する態様でも良い。
【００２８】
接触部１４は、例えば、円周方向に等間隔で設けられているのが望ましい。これにより、内側リング片１１と外側リング片１２とを正確に嵌合させることができる。また、接触部１４は、例えば、少なくとも３つ、より好ましくは４〜８つ設けられているのが望ましい。このような接触部１４は、上述のエア抜き効果を得つつ、内側リング片１１と外側リング片１２との芯合わせを確実に行うことができ、両者の位置ずれを抑制することができる。
【００２９】
同様の観点から、接触部１４の円周方向の長さＬ２は、好ましくは３０mm以上、より好ましくは５０mm以上であり、好ましくは１００mm以下、より好ましくは８０mm以下である。
【００３０】
以上、本発明の一実施形態のタイヤ加硫金型が詳細に説明されたが、本発明は、発明の要旨を逸脱しない範囲において、上記の具体的な実施形態に限定されることなく、種々の態様に変更して実施され得る。
【実施例】
【００３１】
実施例として、図４に示されるように、スリット状に延びる離間部を有するビードリングを具えたタイヤ加硫金型が表１の仕様に基づき準備された。比較例として、図５に示されるように、ビードリングの内側リング片Ａと外側リング片Ｂとの合わせ目ａについて、円周方向の長さが半径方向の幅よりも小さい離間部ｂが円周方向に多数設けられたタイヤ加硫金型が準備された。各タイヤ加硫金型を用いて、一定本数のタイヤを加硫成形し、ビード部の外観不良率及びビードリングのメンテナンス性がテストされた。
【００３２】
＜ビード部の外観不良率＞
サイズ２３５／４５Ｒ１９のタイヤが３００本加硫成形され、ビード部とビードリングのヒール成形面との間に空気が残存して発生したビード部の外観不良の発生率が測定された。
【００３３】
＜ビードリングのメンテナンス性＞
上記加硫成形後、各ビードリングを清掃し、ビードリングに固着した汚れを完全に除去するのに要した時間が測定された。結果は、比較例を１００とする指数であり、数値が小さい程、ビードリングのメンテナンス性が優れていることを示す。
テストの結果が表１に示される。
【００３４】
【表１】
2019051676.tif 000003
【００３５】
テストの結果、比較例のタイヤ加硫金型は、離間部に汚れが詰まり易く、ビード部の外観不良率がやや高いことが確認できた。これに対し、実施例のタイヤ加硫金型は、比較例よりもビード部の外観不良率が低く、ビードリング清掃の頻度を低減できることが確認できた。また、実施例のタイヤ加硫金型は、離間部に付着した汚れを短時間で清掃でき、ビードリングのメンテナンス性が優れていることが確認できた。
【符号の説明】
【００３６】
６  ビード部
１０  ビードリング
１０ｓ  ビード成形面
１１  内側リング片
１２  外側リング片
１３  合わせ目
１４  接触部
１５  離間部
【図１】
2019051676.tif 000004
【図２】
2019051676.tif 000005
【図３】
2019051676.tif 000006
【図４】
2019051676.tif 000007
【図５】
2019051676.tif 000008